(57)【要約】【課題】ゴルフバッグ１において、本体２の口枠部２２に、フレーム３との着脱が容易な仕切り４を設置することにより、本体２の修理および交換を安価で容易におこなえるゴルフバッグを提供する。【解決手段】ゴルフバッグ１は、口枠部２２を有する本体２と、本体２を受け入れるフレーム３と、口枠部２２内を複数の領域に分割する仕切り４とを備え、仕切り４はフレーム３と係合する係合部５を有する。また、仕切り４は、本体２を貫通してフレーム３に取り付けられる。【選択図】        図６
2004202050.tif 000002
【特許請求の範囲】
【請求項１】
口枠部（２２）を有する本体（２）と、
前記本体（２）を受け入れるフレーム（３）と、
前記口枠部（２２）内を複数の領域に分割する仕切り（４）とを備え、
前記仕切り（４）は前記フレーム（３）と係合する係合部（５）を有するゴルフバッグ。
【請求項２】
前記仕切り（４）は、前記本体（２）を貫通して前記フレーム（３）に取付けられる、請求項１に記載のゴルフバッグ。
【請求項３】
前記フレーム（３）は、底部（１４）を有し、該底部（１４）に取付けられる複数の治具（６）を備え、
前記治具（６）と前記本体（２）とは接続されている請求項１または請求項２に記載のゴルフバッグ。
【請求項４】
前記本体（２）の側面に、前記本体（２）の高さ方向に延在し、両端が前記側面に固定されたテープ（８）を設置し、
前記テープ（８）は長さ調整具（７）を有する、請求項１から請求項３のいずれかに記載のゴルフバッグ。
【発明の詳細な説明】
【０００１】
【発明の属する技術分野】
本発明はゴルフクラブを収納するゴルフバッグ（キャディバッグ）に関し、特に、フレームに装着された本体の口枠部に着脱可能な仕切りを備えたゴルフバッグに関する。
【０００２】
【従来の技術】
従来のゴルフバッグにおいては、ポリプロピレンシートなどの芯材、またはグラスファイバーなどの線材を有する本体に、一般に口枠およびボトムが結合され、ゴルフクラブの出し入れ、整理をしやすくするための仕切りは、一般に口枠や本体に固着されている。
【０００３】
上記の仕切りを設けた従来のゴルフバッグについては、たとえば特開平７−２２７４４４号公報などに記載されている。特開平７−２２７４４４号公報においては、断面形状を略コの字状とした１対の長尺の合成樹脂成形体を本体部中芯に装着することにより、ゴルフバッグ本体内の仕切りを行なっている。
【０００４】
また、米国特許第５３１４０６３号明細書は、本体の外部に配置され本体を支持するフレームを有し、本体の上部端部に位置する袖口（カフ）とボタンスナップによりフレームが本体に固定されたゴルフバッグを開示している。
【０００５】
【特許文献１】
特開平７−２２７４４４号公報
【０００６】
【特許文献２】
米国特許第５３１４０６３号明細書
【０００７】
【発明が解決しようとする課題】
特開平７−２２７４４４号公報に記載のゴルフバッグにおいては、上述のように仕切りが本体に装着されるが、仕切りが本体に固着されている場合、本体の一部分が破損し、仕切りを取り外す修理が必要になったときに、その修理が大がかりになるか、場合によってはゴルフバッグ全体を買い換える必要がある。
【０００８】
また、プレースタイルに応じて、必要となるゴルフバッグのポケットの配置や数が異なったり、流行によって要求される本体のデザインが変わったりするが、その時々に応じて、異なる仕切りやボトムを備えたゴルフバッグを用意する必要があった。
【０００９】
一方、米国特許第５３１４０６３号明細書におけるゴルフバッグにおいては、仕切りの取付構造について何ら開示されていない。したがって、仕切りが本体に固定されている場合、特開平７−２２７４４４号公報と同様に、本体の修理が大掛かりになるという問題が生じる。
【００１０】
本発明は、かかる事情に鑑みてなされたものであり、本発明の目的は、フレームに装着されたゴルフバッグ本体の修理および交換を安価で容易に行なえるゴルフバッグを提供することにある。
【００１１】
【課題を解決するための手段】
本発明に係るゴルフバッグは、口枠部を有する本体と、本体を受け入れるフレームと、口枠部内を複数の領域に分割する仕切りとを備え、仕切りはフレームと係合する係合部を有する。
【００１２】
これにより、仕切りとフレームとの着脱が容易になるので、仕切りとともに本体をフレームから容易に取り外すことができ、本体の修理が簡便になる。また、たとえばプレースタイルなどに応じて仕切りを自在に変更することができる。
【００１３】
上記の仕切りは、本体を貫通してフレームに取付けられることが好ましい。また、フレームは、底部を有し、該底部に取付けられる複数の治具を備え、治具と本体とは接続されていることが好ましい。また、好ましくは、ゴルフバッグ本体の側面に、本体の高さ方向に延在し、両端が本体の側面に固定されたテープを設置し、該テープは長さ調整具を有する。
【００１４】
【発明の実施の形態】
本発明の１つの実施の形態におけるゴルフバッグ（キャディバッグ）は、ゴルフクラブを収納する筒状のゴルフバッグ本体と、該本体を受け入れるフレームと、本体の口枠部であるゴルフクラブの取り出し口を複数の領域に分割する仕切りとを備える。
【００１５】
ゴルフバッグ本体は、フレームの上部と底部間に橋架され、典型的には主に布製であり、フレーム内に挿入された状態で該フレームに固定される。該ゴルフバッグ本体は、仕切りが挿通される貫通孔を有する。この貫通孔の周囲には、補強部を設けることが好ましい。
【００１６】
フレームは、硬質部材で構成され、底部に湾曲部を有する。該フレームは、たとえば所定形状の金属製パイプを組合わせるなどして容易に形成可能である。なお、フレームに要求される強度を満足するものであれば、フレームの材質として金属以外の任意の材質、たとえばＦＲＰやプラスチックなどを採用可能である。
【００１７】
上記フレームは、典型的には、上部と、底部と、該上部と底部とを接続する支柱部とを有する。この上部、底部および支柱部の間に空間を形成し、該空間内にゴルフバッグ本体を受け入れる。
【００１８】
フレームの上部は、上記の仕切りを介してゴルフバッグ本体の上部と接続され、フレームの底部はゴルフバッグ本体の底部を支持し、治具を介して本体と締結されている。支柱部は、ゴルフバッグ本体の側面に沿って高さ方向に延在する。
【００１９】
フレームの上部および底部は、軽量化のため、ゴルフバッグ本体の上部および底部の外周に沿って延在し、かつ該上部および底部によって囲まれる内側部分を中空とすることが好ましい。たとえばフレームの材質として金属製パイプを採用する場合には、該金属製パイプを湾曲させたものをフレームの上部および底部として使用する。
【００２０】
フレームの支柱部は、上下方向に延び、支柱部の上端がフレームの上部と接続され、支柱部の下端がフレームの底部と接続される。この支柱部の数は、任意に選定できるが、複数とすることが好ましい。
【００２１】
フレームは、底部を有し、底部に取付けられる複数の治具脚部を備え、治具と本体とはテープなどの帯状部在を介して接続されていることが好ましい。該治具を備えることでフレームの保護および起立時の安定性を確保することができる。また、フレームの上部および底部両方においてフレームと本体とが締結されるので、本体とフレームとを強固に連結することができる。
【００２２】
該治具としては、たとえばポリアミド樹脂製またはポリアセタール樹脂製で、略Ｃ形断面形状を有する部材が使用可能である。
【００２３】
なお、ゴルフバッグ本体の側面には、本体の高さ方向に延在し、両端が本体の側面に固定されたテープが設置され、該テープは長さ調整具を有することが好ましい。
【００２４】
上記の長さ調整具を用いてテープの長さを縮めることにより、テープの両端を介して、ゴルフバッグ本体に張力を加えることができる。これにより、フレームに固定された本体の形状保持を図ることができる。なお、テープの材質としては、たとえばポリアミドまたはポリプロピレンなどが使用可能である。
【００２５】
仕切りは、フレームと係合する係合部を有する。この係合部を介して、仕切りはフレームに着脱自在に固定される。仕切りが着脱可能であることにより、ゴルフバッグ本体が損傷した際にも容易に本体の補修を行なうことができる。また、たとえばプレースタイルなどに応じて、ポケット数の異なる仕切りを用いることができる。
【００２６】
仕切りの係合部としては、たとえばフレームと係合するフック状の係合部を挙げることができる。しかし、係合部の形状は、フレームと係合可能なものであれば任意に選択可能である。係合部は、フレームと係合させるだけでもよいが、ネジなどの固定部材を用いて、フレームに固定してもよい。この場合、固定部材を取り外すだけで容易に仕切りをフレームから取り外すことができる。また、フレームにおいて、係合部の載置部に凹部などの受け部を設けるようにし、該受け部に係合部を載置してもよい。
【００２７】
仕切りは、本体を貫通してフレームに取付けられる。これにより、該仕切りは、ゴルフバッグ本体をフレームに固定する役割を果たしている。また、フレームへの装着時は、仕切りには保護部材（カバー）が装着される。該カバーには、たとえば合成繊維のボアまたはパイル生地などが使用可能である。
【００２８】
以上の構成により、上記の仕切り部材をフレームに固定し、フレーム底部の治具と本体とを締結するだけで、ゴルフバッグ本体をフレームに取付けることができ、それらの固定を開放するだけでゴルフバッグ本体をフレームから容易に取り外すことができる。したがって、ゴルフバッグ本体をフレームに容易に着脱することができる。これにより、本体とフレームの一方が損傷した場合に、損傷した方だけを容易に交換することができ、ゴルフバッグの修理を容易かつ低コストで行なえる。
【００２９】
【実施例】
以下、図１〜図８を用いて本発明に基づくゴルフバッグの実施例について説明する。
【００３０】
図１は、本実施例のゴルフバッグ１の正面図である。また、図２は、ゴルフバッグ１の側面図であり、図３は、ゴルフバッグ１の背面図である。図１〜図３に示すように、ゴルフバッグ１は、本体２と、フレーム３とを備える。本体２は、フレーム３内に挿入され、フレーム３の底部上に載置される。
【００３１】
ここで、ゴルフバッグ１の本体２の構造例について図２を用いて説明する。
図２に示すように、本体２は、筒状の形状を有し、複数のポケットと、パッド１１と、ベース部１２と、フレーム３に本体２を固定するための接続部材１０とを有する。ポケットはファスナで開閉可能であり、前方に位置するポケットは、ファスナを介して本体と接続され、着脱可能である。パッド１１は、図２の例では、本体２の側部に取付けられ、衝撃緩衝部材を含む。ベース部１２は本体２の底部を構成する。
【００３２】
本実施例のフレーム３は、図４に示すように、上部１３と、底部１４と、第１〜第３支柱部１５，１６，１７とを備え、金属製のパイプを所定形状に加工したパーツを組合せて形成される。フレーム３の各パーツ間は、たとえばネジやリベットを用いて連結される。このフレーム３の底部には底部連接部２０が設けられている。
【００３３】
上部１３および底部１４は、ゴルフバッグ本体２の外形に沿うように略Ｕ字形状を有する。かかる形状を有することで、フレーム３の強度向上および軽量化を図れる。また、底部１４を上記形状とすることにより、フレーム３の起立状態を安定して保持することができる。
【００３４】
底部１４には上述の底部連接部２０を取付ける。底部連接部２０は、フレーム３の底部１４で規定される空間を横切るように設けられ、たとえば該底部１４にネジやリベットを用いて取付けられる。
【００３５】
第１と第２支柱部１５，１６は、後方側に位置し、湾曲した形状を有する。第３支柱部１７は、前方側に位置し、直線状の形状を有する。また、第１と第２支柱部１５，１６間に、上部連接部１８と、中央連接部１９とをネジやリベットを用いて取付ける。
【００３６】
以下、本体２のフレーム３への固定構造について、図５〜図８を用いて説明する。
【００３７】
図５は、本実施例の仕切り４の斜視図である。仕切り４は、プラスチック製であり、フレーム３と係合するフック状の係合部５を有する。
【００３８】
図６は、仕切り４を本体２とともにフレーム３に取付けた状態を示す斜視図である。仕切り４は、本体２の口枠部２２近傍に設けられた貫通穴２１を貫通し、係合部５においてフレーム３に取付けられる。貫通穴２１の周囲は、たとえばプラスチック部材などで補強されている。
【００３９】
ゴルフクラブの使用時にはゴルフクラブの保護のため、仕切り４には保護カバーが取付けられる。保護カバーとしては、たとえば合成繊維のボアまたはパイル生地などが使用可能である。
【００４０】
なお、上記仕切り４をフレーム３の上部１３に取付けた後、それらをねじ止めする構造としてもよい。これにより、仕切り４の位置ずれを防止する効果を向上させることができる。また、仕切り４の位置ずれ防止のために、たとえば仕切り４とフレーム３の双方にピンを嵌入して相互に固定する構造なども採用可能である。
【００４１】
また、本実施例においては、上記の係合部５の形状をフック状としたが、このような態様に代わり、たとえばフレーム３において、係合部５と係合する部分をＵ字状に変形させてフレーム３の表面に窪み部分を設け、その窪み部分に係合部５を嵌め込むような構造としてもよい。
【００４２】
図７は、フレーム３の底部１４に治具６を取付けた状態を示すフレーム３の底面図である。治具６は底部１４に定着できるフック状の形状を有し、たとえばポリアミド樹脂またはポリアセタール樹脂などが使用可能である。この治具６は起立時にゴルフバッグ本体およびフレームを安定させ、フレームを保護する役割を果たしている。
【００４３】
ところで、本体２の側面には、図８に示すように、本体２の張力を調整するために、たとえば布製のテープ８が設けられている。
【００４４】
テープ８は、本体２の中央部と底部との間に本体の長さ方向（高さ方向）に延在し、その両端の取付け部に補強テープ９を有する。テープ８および補強テープ９の材質としては、たとえばポリアミドまたはポリプロピレンなどが使用可能である。また、テープ８は、好ましくは複数本設けられ、各々が長さ調整具（バックル）７を有する。この長さ調整具７によりテープ８の長さを調整し、本体２に所定の張力を付与する。これにより、本体２の形状を保持することができる。
【００４５】
図８に示すように、テープ８は、ゴルフバッグ１の本体２の側部に設けたポケット内に取付けられることが好ましい。それにより、外観を損なうことなく、ゴルフバッグ本体に所望の張力を付与することができる。
【００４６】
以上、本発明の実施の形態および実施例について説明したが、今回開示された実施の形態および実施例は全ての点で例示であって制限的なものではないと考えられるべきである。本発明の範囲は特許請求の範囲によって示され、特許請求の範囲と均等の意味および範囲内での全ての変更が含まれることが意図される。
【００４７】
【発明の効果】
本発明のゴルフバッグによれば、仕切りに係合部を設けて、仕切りとフレームとを係合させるようにしたので、フレームに対する仕切りと本体との着脱が容易となり、本体の修理および交換を安価で容易に行なえる。
【図面の簡単な説明】
【図１】本発明の１つの実施例に係るゴルフバッグの正面図である。
【図２】本発明の１つの実施例に係るゴルフバッグの側面図である。
【図３】本発明の１つの実施例に係るゴルフバッグの背面図である。
【図４】本発明の１つの実施例に係るフレームの斜視図である。
【図５】本発明の１つの実施例に係る仕切りの斜視図である。
【図６】本発明の１つの実施例に係る仕切りを本体を貫通させてフレームに取付けた状態を示す斜視図である。
【図７】本発明の１つの実施例に係るフレームの底部に治具を取付けた状態を示す図である。
【図８】本発明の１つの実施例に係る本体の部分拡大側面図である。
【符号の説明】
１  ゴルフバッグ、２  本体、３  フレーム、４  仕切り、５  係合部、６  治具、７  長さ調整具、８  テープ、９  補強テープ、１０  接続部材、１１  パッド、１２  ベース部、１３  上部、１４  底部、１５  第１支柱部、１６  第２支柱部、１７  第３支柱部、１８  上部連接部、１９  中央連接部、２０  底部連接部、２１  貫通穴、２２  口枠部。
【図１】
2004202050.tif 000003
【図２】
2004202050.tif 000004
【図３】
2004202050.tif 000005
【図４】
2004202050.tif 000006
【図５】
2004202050.tif 000007
【図６】
2004202050.tif 000008
【図７】
2004202050.tif 000009
【図８】
2004202050.tif 000010